【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、接触圧をもって電池の各電極に接触する構造の電子機器において、
前記負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有することを特徴とする電子機器。
【請求項２】前記絶縁凹部は、円錐状に陥没した形状であることを特徴とする請求項１に記載の電子機器。
【請求項３】前記絶縁凹部は、コの字状の断面形状であることを特徴とする請求項１に記載の電子機器。
【請求項４】前記正極端子は、前記電池の円形凸部と接触する接触点を有することを特徴とする請求項１乃至３のいずれかに記載の電子機器。
【請求項５】前記負極端子は、前記負極接触部から離れた取付部にて前記電池収容部に固定され、板バネ状に湾曲し変位して電池に接触圧を加え、前記絶縁凹部は、前記負極接触部と一体に変位することを特徴とする請求項１乃至４のいずれかに記載の電子機器。
【請求項６】電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、接触圧をもって電池の各電極に接触する構造の電子機器において、
前記正極端子は、前記電池の正電極の前記円形凸部と接する正極接触部と、前記電池の正電極の前記円形凸部の円径よりも大きくかつ前記電池の負電極の前記円形平面の円径よりも小さい範囲内に配置される絶縁凸部とを有し、該絶縁凸部の突起量を前記円形凸部の突起量よりも少ないように形成したことを特徴とする電子機器。
【請求項７】前記負極端子は、前記電池の負電極の前記円形平面と接触する接触点を有することを特徴とする請求項６に記載の電子機器。
【請求項８】前記正極端子は、前記正極接触部から離れた取付部にて前記電池収容部に固定され、板バネ状に湾曲し変位して電池に接触圧を加え、前記絶縁凸部は、前記正極接触部と一体に変位することを特徴とする請求項６又は７に記載の電子機器。
【請求項９】複数の電池の円形凸部形状をした正電極と接触する第１及び第２の正極端子と、複数の電池の円形平面形状をした負電極と接触する第１及び第２の負極端子とを具備する電池収納部を有し、前記第１及び第２の正極端子と前記第１及び第２の負極端子の少なくとも一方がバネ性能をもち、接触圧をもって電池の各電極に接触する構造の電子機器において、
前記第１の負極端子は、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有し、
前記第２の負極端子は、前記電池の円形平面と接触する接触点を有し、
前記第１の正極端子は、前記電池の正電極の前記円形凸部と接する正極接触部と、前記電池の正電極の前記円形凸部の円径よりも大きくかつ前記電池の負電極の前記円形平面の円径よりも小さい範囲内に配置される絶縁凸部とを有し、該絶縁凸部の突起量を前記円形凸部の突起量よりも少ないように形成し、
前記第２の正極端子は、前記電池の円形平面と接触する接触点を有することを特徴とする電子機器。
【請求項１０】前記絶縁凸部は、円環状に形成されていることを特徴とする請求項６又は９に記載の電子機器。
【請求項１１】前記絶縁凸部は、柱状に形成されていることを特徴とする請求項６又は９に記載の電子機器。
【手続補正２】
【補正対象書類名】明細書
【補正対象項目名】００１０
【補正方法】変更
【補正の内容】
【００１０】
【課題を解決するための手段】上記目的を達成するために、本発明は、電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、接触圧をもって電池の各電極に接触する構造の電子機器において、前記負極端子が、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有する電子機器とするものである。
また、本発明は、電池の円形凸部形状をした正電極と接触する正極端子と、電池の円形平面形状をした負電極と接触する負極端子とを具備する電池収納部を有し、前記正極端子と前記負極端子の少なくとも一方がバネ性能をもち、接触圧をもって電池の各電極に接触する構造の電子機器において、前記正極端子が、前記電池の正電極の前記円形凸部と接する正極接触部と、前記電池の正電極の前記円形凸部の円径よりも大きくかつ前記電池の負電極の前記円形平面の円径よりも小さい範囲内に配置される絶縁凸部とを有し、該絶縁凸部の突起量を前記円形凸部の突起量よりも少ないように形成した電子機器とするものである。
また、本発明は、複数の電池の円形凸部形状をした正電極と接触する第１及び第２の正極端子と、複数の電池の円形平面形状をした負電極と接触する第１及び第２の負極端子とを具備する電池収納部を有し、前記第１及び第２の正極端子と前記第１及び第２の負極端子の少なくとも一方がバネ性能をもち、接触圧をもって電池の各電極に接触する構造の電子機器において、前記第１の負極端子が、前記電池の正電極の前記円形凸部の円径よりも大きくかつ前記電池の負電極の前記円形平面の円径よりも小さい範囲で、前記電池の負電極と接触する負極接触部と、該負極接触部の内周側に配置され、凹部状に陥没しその陥没量が前記円形凸部の突起量よりも少ない絶縁凹部とを有し、前記第２の負極端子が、前記電池の円形平面と接触する接触点を有し、前記第１の正極端子が、前記電池の正電極の前記円形凸部と接する正極接触部と、前記電池の正電極の前記円形凸部の円径よりも大きくかつ前記電池の負電極の前記円形平面の円径よりも小さい範囲内に配置される絶縁凸部とを有し、該絶縁凸部の突起量を前記円形凸部の突起量よりも少ないように形成し、前記第２の正極端子が、前記電池の円形平面と接触する接触点を有する電子機器とするものである。
【手続補正３】
【補正対象書類名】明細書
【補正対象項目名】００２５
【補正方法】変更
【補正の内容】
【００２５】
これは、第４の単三電池６の正電極６ａと第５端子１３の第４正極接触部１３ｅとの接触状態においても同様である。
【手続補正４】
【補正対象書類名】明細書
【補正対象項目名】００２９
【補正方法】変更
【補正の内容】
【００２９】
次に、第２の単三電池４が逆挿入された場合について説明する。第２の単三電池４が逆挿入されると、図６に示すように、負電極４ｂが第４端子１２の第２正極接触部１２ｅと相対することになる。ところが第２正極接触部１２ｅの近傍には負電極４ｂの円形平面の円径よりも小さい範囲内に絶縁部材１６が取り付けられているので、負電極４ｂと第２正極接触部１２ｅとの間には隙間Ｌ４が確保され、接触導通してしまうことはない。また、この絶縁部材１６は第２正極接触部１２ｅに固設して一体に変位するようにしたので、第２正極接触部１２ｅがバネ部１２ｄを介して変位しても常に所定位置を維持でき、第４端子１２に絶縁構造と接触圧構造の両方をコンパクトに形成している。
【手続補正５】
【補正対象書類名】明細書
【補正対象項目名】００３０
【補正方法】変更
【補正の内容】
【００３０】
なお、図６（図７（ａ），（ｂ）は第４端子１２と絶縁部材１６のみを示す図）では、絶縁部材１６は円環状に形成しているようにしたが、この場合、絶縁部材１６は体積が大きく第２正極接触部１２ｅとの共有面積も十分確保でき、強固に固設できるため、電池蓋７を頻繁に開閉したり、電池交換の最中に電池や手で接触しやすい場合にも強度を確保することができる。また、図７（ｃ），（ｄ）のように、柱状に形成した場合は、絶縁部材１６′の面積を必要最小限にしてコンパクトに形成し、例えば電池蓋７に必要な開閉機構のスペースを取りやすくできる。
【手続補正６】
【補正対象書類名】明細書
【補正対象項目名】００３５
【補正方法】変更
【補正の内容】
【００３５】
図８（ａ）は電池収納部２の一部を成す電池蓋７の内側面の平面図、図８（ｂ）は図８（ａ）のＤ−Ｄ断面図であり、同図において、第４端子１２および第５端子１３は実施の第１の形態と同様に、第１負極接触部１２ｃおよび第３負極接触部１３ｃのそれぞれ内周部分が陥没し、中央に穴が開いた形状となっており、そこに絶縁部材１８，１９が取り付けられている。絶縁部材１８，１９は実施の第１の形態と異なり、断面がコの字形状となっている。そして第１、第３負極接触部１２ｃ，１３ｃから底部１８ａ，１９ａまでの陥没量は、単三電池３，５の正電極３ａ，５ａの突起量よりも少なく設定されている。
その他の構成は、上記実施の第１の形態と同様であるので、ここではその説明は省略する。
【手続補正７】
【補正対象書類名】明細書
【補正対象項目名】００４１
【補正方法】変更
【補正の内容】
【００４１】
また、本発明の実施の第２の形態では、上記実施の第１の形態と異なり、絶縁部材１８ａがコの字断面形状となっているため、バネ部１２ｂを介して第１負極接触部１２ｃが第１の単三電池３の正電極３ａに加えている接触圧により、正電極３ａは常に絶縁部材１８の底部１８ｂに当接し、側壁１８ａによって横方向の移動範囲を制限される。従って、もしこの状態でカメラ本体１に強い衝撃を加えて第１の単三電池３が横ずれしても、正電極３ａが第１負極接触部１２ｃに接触することはなく、絶縁状態が維持されるので、一層安全である。
【手続補正８】
【補正対象書類名】明細書
【補正対象項目名】００５０
【補正方法】変更
【補正の内容】
【００５０】
５）前記絶縁凸部（絶縁部材１６）を、前記円形凸部の円径よりも大きく、かつ電池４の負電極４ｂの円形平面の円径よりも小さい範囲内となる円環状に形成しているので、前記絶縁凸部の体積を大きくでき、その強度を確保することができる。
【手続補正９】
【補正対象書類名】図面
【補正対象項目名】図８
【補正方法】変更
【補正の内容】
【図８】
2004253263.tif 000001